(57)【要約】  本発明による複数の生体情報を測定する携帯用複合センサー装置は、生体情報を入力されるための複数の電極と、前記複数の電極から入力された生体情報を測定する複数の生体情報測定回路部と、電源を常に供給されて測定対象が前記電極に接触すれば電流を感知する複数の電流感知器と、スマートフォンとデータを送受信する無線通信手段と、前記電流感知器の電流感知如何に基づいてスリープモードまたは活性化モードで動作して、バッテリーの電源供給を制御するマイクロコントローラーとを含む。【選択図】図１
2019503831.tif 000002
【特許請求の範囲】
【請求項１】
複数の生体情報を測定する携帯用複合センサー装置において、
前記複数の生体情報を測定する複数の生体情報測定回路装置と；
前記複数の生体情報測定回路装置のそれぞれが入力信号を受けるための複数の入力端子セットと；
生体情報を有する対象が前記複数の入力端子セットのうち一つのセットに電気的に連結されると、前記電気的に連結された入力端子セットを介して前記生体情報を有する対象に電流が流れるようにし、前記電流を感知すれば出力信号を発生させ、常に電力が供給される複数の電流感知器と；
前記生体情報測定回路装置のそれぞれの出力端子と連結されて、アナログ信号をデジタル信号に変換するＡＤ変換器と；
スマートフォンとデータを送受信する無線通信手段と；
前記ＡＤ変換器の出力を受信するマイクロコントローラーと;を含み、
前記マイクロコントローラーは、前記携帯用複合センサー装置に内蔵されたバッテリーの電力を供給され、
生体情報を測定しない時には、前記マイクロコントローラーは、スリープモードで動作し、前記複数の生体情報測定回路装置、前記ＡＤ変換器、および前記無線通信手段をパワーオフさせ、
前記マイクロコントローラーは、前記電流感知器の前記出力信号を受ければ活性化モードに変更されて、前記電流感知器に該当する前記複数の生体情報測定回路装置のうち一つ、前記ＡＤ変換器および前記無線通信手段をパワーオンさせ、制御し、
前記携帯用複合センサー装置は、測定した生体情報データを前記スマートフォンの画面にディスプレイし；
前記携帯用複合センサー装置は、クレジットカード形態の薄型であり、前記携帯用複合センサー装置のケースに複数個の心電図電極と一つの血液試験ストリップ挿入口を具備したことを特徴とする携帯用複合センサー装置。
【請求項２】
前記複数の生体情報は、心電図情報および血液情報であることを特徴とする請求項１に記載の携帯用複合センサー装置。
【請求項３】
前記血液情報は、血糖レベル、ケトン（ｋｅｔｏｎｅ）レベルまたは血液凝固指数（ＩＮＲ）のうち一つまたは二つ以上であることを特徴とする請求項２に記載の携帯用複合センサー装置。
【請求項４】
前記無線通信手段がブルートゥース・ロー・エネルギー（ＢＬＥ）を支援することを特徴とする請求項１に記載の前記携帯用複合センサー装置。
【請求項５】
前記電流感知器が感知する前記電流は、直流電流であることを特徴とする請求項１に記載の前記携帯用複合センサー装置。
【請求項６】
携帯用複合センサー装置とスマートフォンを利用して複数の生体情報を測定する方法において、
前記スマートフォンでアプリが実行されれば、前記スマートフォンのディスプレイに生体情報を選択する複数の選択ボタンを表示する段階と；
前記複数個の選択ボタンのうち一つが選択されて接触すれば、接触した前記ボタンの情報を前記携帯用複合センサー装置に送信する段階と；
前記携帯用複合センサー装置のマイクロコントローラーは、複数個の電流感知器のうち一つにより活性化する段階と；
前記活性化したマイクロコントローラーが無線通信手段を介して前記ボタン情報を受信する段階と；
前記マイクロコントローラーが前記受信されたボタン情報に該当する生体情報測定回路部をパワーオンさせ、測定する段階と；
前記マイクロコントローラーがＡＤ変換器をパワーオンさせ、前記ＡＤ変換器が前記生体情報測定回路部の出力をＡＤ変換して、前記マイクロコントローラーに伝達する段階と；
前記マイクロコントローラーが前記測定された生体情報を前記無線通信手段を介して前記スマートフォンに伝送する段階と；
前記測定された生体情報をスマートフォン画面にディスプレイする段階と；
前記測定された生体情報を前記スマートフォンのメモリーに保存する段階と；を含むことを特徴とする複数の生体情報を測定する方法。
【請求項７】
前記複数の生体情報は、心電図情報と血液情報であることを特徴とする請求項６に記載の複数の生体情報を測定する方法。
【請求項８】
前記血液情報は、血糖レベル、ケトン（ｋｅｔｏｎｅ）レベルまたは血液凝固指数（ＩＮＲ）のうち一つまたは二つ以上であることを特徴とする請求項７に記載の複数の生体情報を測定する方法。
【請求項９】
心電図情報測定の場合、
前記携帯用複合センサー装置のケースに設けられた前記複数の心電図電極に複数の身体部位が接触する段階と；
心電図電流感知器により前記マイクロコントローラーが活性化する段階と；
ＢＬＥ通信を介して前記スマートフォンで心電図測定ボタンが選択されたかを確認する段階と；
心電図測定回路部をパワーオンさせる段階と；
さらに前記複数の心電図電極が接触状態であるかを確認した後、測定データをＡＤ変換を開始する段階と；を含むことを特徴とする請求項７に記載の複数の生体情報を測定する方法。
【請求項１０】
前記血液情報測定の場合、
前記携帯用複合センサー装置のケースに設けられた血液試験ストリップ挿入口に血液試験ストリップが挿入される段階と；
血液電流感知器により前記マイクロコントローラーが活性化する段階と；
血液測定回路部をパワーオンさせる段階と；
測定データをＡＤ変換する段階を含むことを特徴とする請求項７に記載の複数の生体情報を測定する方法。
【請求項１１】
前記マイクロコントローラーを活性化させるためのインターラプトの優先順位において前記血液試験ストリップ挿入によるインターラプトの優先順位を前記心電図電極接触によるインターラプトの優先順位より高くすることを特徴とする請求項８に記載の複数の生体情報を測定する方法。
【発明の詳細な説明】
【技術分野】
【０００１】
本発明は、複数の生体情報を測定する携帯用複合センサー装置および測定方法に関し、より詳細には、一つの複合センサー装置で心電図と血糖を含む異種の検査項目を機械的スイッチングをせずに自動に選択して測定することができ、測定結果をスマートフォンに示すカード型携帯用複合センサー装置と、これを無線でスマートフォンと連動して測定する方法に関する。
【背景技術】
【０００２】
携帯型健康測定装置は、血糖や心電図（ＥＣＧ：Ｅｌｅｃｔｒｏｃａｒｄｉｏｇｒａｐｈ）のように単一項目で測定されるものは製品化されたが、血糖と心電図を含む複数の検査項目を測定しようとする人は、それぞれの測定装置を別に携帯しなければならない不便さがある。したがって、一つの装置に異種の測定項目を測定できる複合センサー測定装置が必要である。複合センサー測定装置は、小型で具現しなければならないので、体積が小さくなければならず、ほとんどのものがバッテリーで動作するので、長時間使用するには電力消耗が少なくなければならない。
【０００３】
従来の技術として、韓国特許公開第１０−２０１４−００６５８０１号には、センサー入力システムに関するものであって、センサーの選択は、携帯端末機から選択された選択信号により行われる技術が開示されている。
【０００４】
一般的に、一つの携帯型複合センサー測定装置において電源スイッチが必要であり、検査項目を変える時には、選択スイッチが必要であり、測定データを示すディスプレイが必要である。しかし、機械的電源スイッチや選択スイッチおよびディスプレイは、携帯型測定装置の体積や面積を増加させ、バッテリー電力を消費する問題と小型化の限界を招く。
【０００５】
また、複合センサー装置の血糖測定回路とＥＣＧ測定回路を別に構成し、電力供給を別に制御しなければ、電源をオンとした時、すべての回路が作動して、電力消耗が大きくなる問題が発生するので、必要な機能の回路のみが作動するようにすることが必要である。
【発明の概要】
【発明が解決しようとする課題】
【０００６】
本発明は、前記問題点と必要性によりなされたものであって、その目的は、一つの複合センサー装置で小型化のために機械的スイッチを使用せずに当該測定回路のみを自動に選択して動作させ、測定結果をスマートフォンに示す携帯用複合センサー装置を提供することにある。
【課題を解決するための手段】
【０００７】
前記目的を達成するために、本発明による複数の生体情報を測定する携帯用複合センサー装置は、前記複数の生体情報を測定する複数の生体情報測定回路装置と；前記複数の生体情報測定回路装置のそれぞれが入力信号を受けるための複数の入力端子セットと；生体情報を有する対象が前記複数の入力端子セットのうち一つのセットに電気的に連結されると、前記電気的に連結された入力端子セットを介して前記生体情報を有する対象に電流が流れるようにし、前記電流を感知すれば出力信号を発生させ、常に電力が供給される複数の電流感知器と；前記生体情報測定回路装置のそれぞれの出力端子と連結されて、アナログ信号をデジタル信号に変換するＡＤ変換器と；スマートフォンとデータを送受信する無線通信手段と；前記ＡＤ変換器の出力を受信するマイクロコントローラーと；を含み、前記マイクロコントローラーは、前記携帯用複合センサー装置に内蔵されたバッテリーの電力を供給され、生体情報を測定しない時には、前記マイクロコントローラーは、スリープモードで動作し、前記複数の生体情報測定回路装置、前記ＡＤ変換器、前記無線通信手段をパワーオフさせ、前記マイクロコントローラーは、前記電流感知器の前記出力信号を受ければ活性化モードに変更されて、前記電流感知器に該当する前記複数の生体情報測定回路装置のうち一つ、前記ＡＤ変換器および前記無線通信手段をパワーオンさせ、制御し、前記携帯用複合センサー装置は、測定した生体情報データを前記スマートフォンの画面にディスプレイし；前記携帯用複合センサー装置は、クレジットカード形態の薄型であり、前記携帯用複合センサー装置のケースに複数個の心電図電極と一つの血液試験ストリップ挿入口を具備したことを特徴とする。
【０００８】
前記複数の生体情報は、心電図情報および血液情報であり、前記血液情報は、血糖レベル、ケトン（ｋｅｔｏｎｅ）レベルまたは血液凝固指数（ＩＮＲ）のうち一つまたは二つ以上であることを特徴とする。
【０００９】
前記無線通信手段がブルートゥース・ロー・エネルギー（ＢＬＥ）を支援することを特徴とする。
【００１０】
前記電流感知器が感知する前記電流は、直流電流であることを特徴とする。
【００１１】
本発明の他の実施形態として、携帯用複合センサー装置とスマートフォンを利用して複数の生体情報を測定する方法は、前記スマートフォンでアプリが実行されれば、前記スマートフォンのディスプレイに生体情報を選択する複数の選択ボタンを表示する段階と；前記複数個の選択ボタンのうち一つが選択されて接触すれば、接触した前記ボタンの情報を前記携帯用複合センサー装置に送信する段階；前記携帯用複合センサー装置のマイクロコントローラーは、複数個の電流感知器のうち一つにより活性化する段階と；前記活性化したマイクロコントローラーが無線通信手段を介して前記ボタン情報を受信する段階と；前記マイクロコントローラーが前記受信されたボタン情報に該当する生体情報測定回路部をパワーオンさせ、測定する段階と；前記マイクロコントローラーがＡＤ変換器をパワーオンさせ、前記ＡＤ変換器が前記生体情報測定回路部の出力をＡＤ変換して前記マイクロコントローラーに伝達する段階と；前記マイクロコントローラーが前記測定された生体情報を前記無線通信手段を介して前記スマートフォンに伝送する段階と；前記測定された生体情報をスマートフォン画面にディスプレイする段階と；前記測定された生体情報を前記スマートフォンのメモリーに保存する段階と；を含む。
【発明の効果】
【００１２】
本発明による携帯用複合センサー装置は、一つのクレジットカード形態の装置であって、携帯に便利であり、時間と場所に拘束されることなく複数の医学的情報を測定することができ、無線でスマートフォンと通信するので使用しやすい。
【００１３】
また、本発明による携帯用複合センサー装置は、使用しない時には、電流感知器を除いたすべての回路がパワーオフされ、マイクロコントローラーのみがスリープモード（ｓｌｅｅｐ  ｍｏｄｅ）に入るようにし、使用する時には、必要な回路のみに電力を供給して活性化モードに入るようにするので、複合センサー装置に内蔵されたバッテリーの電力消耗を最大に減少させることができる。
【００１４】
また、本発明による前記携帯用複合センサー装置は、機械的な電源スイッチや選択スイッチを含まないので、小型、薄型化を可能にし、ユーザがスイッチを使用する不要な煩雑さ、スイッチの故障の可能性と有限な寿命、製造コストの上昇を招かない。また、前記携帯用複合センサー装置を使用する時には、ユーザがどんなスイッチをいつどのように使用すべきかの使用法を知る必要がないので、使用が便利である。
【００１５】
また、本発明による前記携帯用複合センサー装置は、ＬＣＤなどのディスプレイを含まないので、ディスプレイの故障の可能性と劣化、製造コストの上昇を招かず、小型であるので、携帯しやすい。
【図面の簡単な説明】
【００１６】
【図１】本発明による携帯用複合センサー装置を示す斜視図である。
【図２】本発明の一実施形態による携帯用複合センサー装置に内蔵された回路を示すブロック図である。
【図３】本発明の他の実施形態による携帯用複合センサー装置に内蔵された回路を示すブロック図である。
【図４】本発明によるスマートフォンのアプリを実行した時のスマートフォンディスプレイを示す例示図である。
【図５】本発明による心電図を測定する時の複合センサー装置の動作を示すフローチャートである。
【図６】本発明による血糖値を測定する時の複合センサー装置の動作を示すフローチャートである。
【図７】本発明によるスマートフォンのアプリを示すフローチャートである。
【発明を実施するための形態】
【００１７】
以下、図面を参照して本発明による実施形態を説明する。本実施形態において携帯用複合センサー装置は、心電図（ＥＣＧ）測定装置に血糖測定装置が結合した例を取って説明するが、これに制限されない。前記血糖測定装置は、血糖以外の血液情報、例えばストリップに点着した毛細管血のケトン（ｋｅｔｏｎｅ）レベルや血液凝固指数（ＩＮＲ：Ｉｎｔｅｒｎａｔｉｏｎａｌ  Ｎｏｒｍａｌｉｚｅｄ  Ｒａｔｉｏ）を測定する機能を有する装置であってもよい。 
【００１８】
前記心電図測定は、二つ以上の電極を人体の他の部位に接触させて心臓で発生する電圧を測定する。多数の電極を人体のあらかじめ定められた特定の部位に接触させて心電図を測定すれば、より多くの心臓の活動に関する情報を得ることができる。したがって、以後の本発明の実施形態において心電図電極を一対で記述するが、本発明による携帯用複合センサー装置は、より多くの数の心電図電極を本発明による携帯用複合センサー装置のケースに具備することができる。
【００１９】
前記血糖レベルやケトンレベルは、アンペロメトリック方法を使用して測定することができる。前記ＩＮＲは、血液凝固の傾向を示す尺度であって、毛細管血に対する電気インピーダンス方法、アンペロメトリック方法、機械的方法などを使用して測定することができる。前記血液特性試験に必要な血液試験ストリップを挿入できる一つの血液試験ストリップ挿入口は、本発明による携帯用複合センサー装置のケースに具備することができる。
【００２０】
本発明による心電図と血糖測定のための携帯用複合センサー装置は、次のような問題点と困難性を克服するために案出された。
【００２１】
最初の問題は、次の通りである。ユーザの便宜性を最大化するために、ユーザがユーザマニュアルを保管したり熟読する必要がないようにしなければならない。また、ユーザマニュアルは、できるだけ簡単なものが好ましい。また、ユーザが、できるだけ小さい規則で装置を使用することが要求される。より好ましくは、ユーザが使用規則なしに使用できるものである。使用規則なしに使用する場合、測定システムは、ユーザの任意の使用方法に対応できなければならない。例えば、ユーザは、スマートフォンのアプリ（ａｐｐｌｉｃａｔｉｏｎ）を先に実行させてもよく、複合センサー装置の電流感知器を先に作動させてもよい。したがって、スマートフォンのアプリと複合センサー装置は、ユーザの作動順序に関係なく、所望の結果を提供できなければならない。したがって、できるだけすべての作動順序の場合の数に対して異常なく所望の結果を提供するスマートフォンのアプリと複合センサー装置の電子回路とファームウェアを作成しなければならない。しかし、スマートフォンのアプリと複合センサー装置の電子回路とファームウェアを、ユーザの規則がなく、自動順序に従わない使用法に問題ないように作成することは難しい。
【００２２】
二番目の問題は、次の通りである。心電図と血糖を測定できる複合センサー装置を使用して血糖を測定する時に、ユーザが無意識のうちに複合センサー装置に付着した心電図電極をタッチすることがある。この場合、心電図測定に該当する電流感知器が作動して、前記複合センサー装置は、所望しない心電図測定を開始し、スマートフォンディスプレイに所望しない心電図測定結果が表示され得る。したがって、血糖を測定する時には、ユーザが無意識のうちに心電図電極をタッチしても、心電図測定を開始しないようにしなければならない。しかし、これは、心電図測定を希望する場合に、心電図電極をタッチすれば心電図測定を開始しなければならない最初に計画した動作方式に背く。
【００２３】
三番目の問題は、次の通りである。ユーザが次の１）、２）、３）からなる過程の動作方法を使用することができる。１）心電図を測定するには、優先的に複合センサー装置を作動させなければなければならないと考えるユーザが複合センサー装置の一対の電極をタッチする。この際、電流感知器が作動して、複合センサー装置がパワーオンとなる。２）ユーザがスマートフォンで心電図測定のアプリを実行して心電図測定を選択する。３）心電図測定をするためにユーザがさらに複合センサー装置の一対の電極をタッチして心電図測定を開始する。しかし、前記１）、２）、３）の段階からなる前記過程は、困難を発生させる。なぜなら、最初に複合センサー装置の一対の電極をタッチした時、複合センサー装置が既にオン（ｏｎ）とされたので、２番目のタッチは意味ない行為になるからである。この問題を解決するためには、ユーザの一番目のタッチと二番目のタッチを区別し、区別結果によってそれぞれを処理しなければならない困難がある。この問題も、使用規則が存在し、ユーザが使用規則に基づいて使用すると、容易に解決することができる。しかし、かえって好ましいものは、ユーザが前記過程を使用することを許容し、これを受容できる解決策を提示することである。
【００２４】
四番目の問題は、次の通りである。心電図を測定する場合、一般的に一定の時間、例えば３０秒間の心電図測定が要求される。このために、複合センサー装置は、一対の電極がタッチされてスマートフォンと連結された後から３０秒間心電図を測定すれば良い。これは、測定開始時点を確定できる時に可能である。しかし、前記三番目の問題で提示した前記１）、２）、３）の段階からなる過程では、測定開始時点を確定し難い。
【００２５】
五番目の問題は、次の通りである。複合センサー装置を使用して血糖を測定する時に、血糖ストリップを複合センサー装置のストリップ挿入口に挿入した後から血液をストリップに点着してから測定が完了するまでは相当時間が必要である。この時間の間に複合センサー装置は、バッテリー消耗を減少させるためにスマートフォンと通信を抑制する必要がある。したがって、複合センサー装置は、血糖測定が完了した後にスマートフォンにその結果を送信することが好ましい。また、血糖ストリップがストリップ挿入口に挿入される場合、ユーザが血糖測定を希望することが明確であるので、ユーザは、スマートフォンディスプレイで血糖測定ボタンを選択する必要はなく、単にスマートフォンのアプリのみを開始させれば良い。しかし、一方、血糖の測定を希望する他のユーザは、先にスマートフォンディスプレイで血糖測定ボタンを選択しようと試みることができる。したがって、スマートフォンのアプリは、このような血糖の測定を希望する多様なユーザの前記２種類の使用方法を受け入れなければならない。
【００２６】
六番目の問題は次の通りである。心電図測定をする時には、心電図測定回路のみをオン（ｏｎ）とさせ、血糖を測定する時には、血糖測定回路のみをオン（ｏｎ）とさせなければならない。そうでなければ、バッテリー電力が浪費される。しかし、それぞれの回路に対する電源スイッチや選択スイッチを使用することなく、この問題を解決しなければならない必要がある。
【００２７】
七番目の問題は、次の通りである。心電図測定をする時には、心電図測定回路の出力をＡＤ変換しなければならず、血糖を測定する時には、血糖測定回路の出力をＡＤ変換しなければならない。すなわち一つのＡＤ変換器を使用する場合、所望の測定回路の出力をＡＤ変換器の入力で選択しなければならない。しかし、複合センサー装置に選択スイッチがない状態でこの問題を解決しなければならない。
【００２８】
本発明は、系統的な回路設計とソフトウェア製作により前記問題を解決する。
【００２９】
図１は、本発明による携帯用複合センサー装置の斜視図を示すものであり、心電図を測定するために、上面に所定の間隔で離隔した一対の電極１７２、１７４と、血糖を測定するために一側面に血糖ストリップ１７８を挿入できる血糖ストリップ挿入口１７６とを含んでいる。
【００３０】
本発明による携帯用複合センサー装置は、携帯性を高めるためにクレジットカードの形態であり、厚さが６ｍｍ以下であることが好ましい。電源は、ＣＲ２０３２型バッテリーであり、２年ほどの使用時間が好ましい。
【００３１】
また、携帯用複合センサー装置の小型化のために機械的電源スイッチや選択スイッチがなく、電力消耗を減少させるためにディスプレイを使用しない。
【００３２】
本発明による携帯用複合センサー装置において、機械的電源スイッチや選択スイッチを使用しないために電流感知器を使用する。前記電流感知器は、動作に必要な電力を常に供給され、イベントが発生すれば、出力信号を発生させるために待機する。生体情報を有する対象は、前記電流感知器と電気的に連結されると、電流が流れることができるループを完成する。したがって、前記生体情報を有する対象が前記電流感知器と電気的に連結されると、前記電流感知器が前記生体情報を有する対象に微細電流が流れるようにし、前記電流感知器は、前記微細電流を感知して出力信号を発生させる。携帯用複合センサー装置を使用しない場合には、前記電流感知器のみが動作し、残りの回路は、パワーオフにされ、マイクロコントローラーは、スリープ（ｓｌｅｅｐ）モードで待機した中に、血糖ストリップを挿入したり両方の手を電極にタッチするイベントが発生して電流感知器に電流が感知されれば、前記マイクロコントローラーは、活性化して、当該回路をパワーオンさせる。
【００３３】
電流感知器が感知する前記電流は、前記携帯用複合センサー装置に設けられたバッテリーから供給され、直流電流であることを特徴とする。
【００３４】
図２および図３は、本発明による携帯用複合センサー装置に内蔵された回路のブロック図を示す。図２および図３に示されたブロックのそれぞれは、商用化された部品を使用して従来の技術で具現が可能である。
【００３５】
図２は、バッテリーに直接連結された一つのマイクロコントローラーと複数の電流感知器にのみ電力が供給され、電源スイッチがない実施形態を示す。各ブロックの上側に入る矢印は、いずれも電力供給線である。マイクロコントローラー２８０から無線通信手段２９０の入力端子に入る矢印を除いてバッテリー２００とマイクロコントローラー２８０から出る矢印は、電力供給線である。血糖電流感知器２２０と心電図電流感知器２５０の電力は、バッテリー２００と直接連結された電力供給線を介してバッテリー２００から直接供給される。血糖測定回路２３０と心電図測定回路２６０、ＡＤ変換器２７０、無線通信手段２９０は、マイクロコントローラー２８０がマイクロコントローラー２８０から出る電力供給線をハイ（Ｈｉｇｈ）とすれば、電力が供給され、ロウ（Ｌｏｗ）とすれば、パワーオフにされる。ハイ（Ｈｉｇｈ）とロウ（Ｌｏｗ）は、電圧を意味し、例えばハイ（Ｈｉｇｈ）は３Ｖ、ロウ（Ｌｏｗ）は０Ｖである。
【００３６】
図３は、マイクロコントローラー２８０のみがバッテリー２００に直接連結されて、バッテリー電力を供給され、電源スイッチがない二番目の実施形態であって、複数の電流感知器２２０、２５０、複数の生体情報測定回路部２３０、２６０、一つのＡＤ変換器２７０および一つの無線通信手段２９０は、それぞれに連結された電力供給線を介してマイクロコントローラー２８０が前記マイクロコントローラー２８０から出る電力供給線をハイ（Ｈｉｇｈ）とすれば、電力が供給され、ロウ（Ｌｏｗ）とすればパワーオフにされる。前記マイクロコントローラー２８０がスリープモード（ｓｌｅｅｐ  ｍｏｄｅ）である時も、前記血糖電流感知器２２０と前記心電図電流感知器２５０には、前記マイクロコントローラー２８０の電力供給線を介して電力が供給される。
【００３７】
図２および図３で、入力端子セット２１０は、血液試験ストリップ挿入口に設けられ、血液試験ストリップが挿入されれば、前記血液試験ストリップを前記血糖測定回路２３０の入力端子と電気的に連結させるための複数の電気端子を示す。また、図２および図３で、入力端子セット２４０は、本発明による携帯用複合センサー装置のケースに設けられた複数個の心電図電極を前記心電図測定回路２３０の入力端子と電気的に連結させるための複数の電気端子を示す。
【００３８】
図２および図３で、前記電流感知器２５０と前記マイクロコントローラー２８０は、前記バッテリー２００から直接電力を供給されるもので表現したが、バッテリー２００から電力を供給される一つのＤＣ−ＤＣコンバータあるいは一つの電圧レギュレーターを介して電力を供給されることもできる。また、図２および図３には、前記生体情報測定回路部２３０、２６０、前記ＡＤ変換器２７０および前記無線通信手段２９０の電力を前記マイクロコントローラー２８０がＯＮ／ＯＦＦするもので表現したが、前記生体情報測定回路部２３０、２６０、前記ＡＤ変換器２７０および前記無線通信手段２９０の電力を一つのＤＣ−ＤＣコンバータあるいは一つの電圧レギュレーターを介して電力を供給し、前記ＤＣ−ＤＣコンバータあるいは、前記電圧レギュレーターを前記マイクロコントローラー２８０がＯＮ／ＯＦＦする実施形態も可能である。また、前記マイクロコントローラー２８０から出る矢印は、当該ブロックの電力供給を制御する線であってもよい。
【００３９】
本発明による血糖測定は、次のように行われる。ユーザが前記血糖ストリップ１７８を前記血糖ストリップ挿入口１７６に挿入すれば、前記血糖電極２１０は、前記血糖ストリップ１７８と電気的に連結される。この際、前記血糖電流感知器２２０は、前記血糖ストリップ１７８を介して流れる微細な電流を感知して自動に出力信号を発生する。前記血糖電流感知器２２０の出力信号は、スリープモードにあった前記マイクロコントローラー２８０を活性化させる。これにより、前記マイクロコントローラー２８０は、前記血糖測定回路２３０と前記ＡＤ変換器２７０をパワーオンさせる。前記血糖測定回路２３０は、挿入された前記血糖ストリップ１７８に血液が点着すると、血糖測定を行い、出力信号を発生させる。前記血糖測定回路２３０の出力は、前記ＡＤ変換器２７０でデジタル信号に変換される。このデジタル信号は、前記マイクロコントローラー２８０により血糖値に換算され、前記換算された血糖値は、前記無線通信手段２９０と前記アンテナ２９２を介してスマートフォンに送信される。前記スマートフォンは、前記スマートフォンの画面に血糖値をディスプレイする。
【００４０】
本発明による心電図（ＥＣＧ）の測定は、次のように行われる。ユーザが前記一対の電極１７２、１７４を両方の手でタッチした時、前記心電図電流感知器２５０は、前記両方の手を介して微細な電流が流れるようにし、前記両方の手を介して流れる前記微細な電流を検出する。これにより、前記電流感知器２５０は、前記マイクロコントローラー２８０をスリープモードから活性化モードに変更されるようにする。これにより、前記マイクロコントローラー２８０は、前記心電図測定回路２６０と前記ＡＤ変換器２７０をパワーオンさせ、前記心電図測定回路２６０の出力を受けた前記ＡＤ変換器２７０の出力を前記無線通信手段２９０を介してスマートフォンに送信する。データを受信したスマートフォンは、心電図の波形をディスプレイする。一定の時間の測定が終われば、前記マイクロコントローラー２８０は、スリープモードに入って、次回の両方の手のタッチを待機する。
【００４１】
図４は、本発明によるスマートフォンのアプリを実行した時の例示図であり、スマートフォン４１０のディスプレイ４２０にタッチボタン４３２、４３４、４３６、４４２、４４４、４４６、４５０を示す。ユーザが心電図を測定するためには、心電図測定ボタン４３２をタッチする。その後、ユーザが前記複合センサー装置１７０の前記一対の電極１７２、１７４をそれぞれ両方の手でタッチしていれば、前述したように、前記複合センサー装置１７０で心電図が測定され、測定された心電図が前記スマートフォンディスプレイ４２０にチャート形態で示され、測定されたデータは、前記スマートフォン４１０に保存される。過去に保存された心電図測定データをさらにチャート形態で見るには、「開く」ボタン４３４をタッチする。医師や病院に保存されたデータを送るには、伝送ボタン４３６をタッチする。
【００４２】
ユーザが血糖値を測定するには、血糖測定ボタン４４２をタッチする。ユーザが前記血糖ストリップ１７８を前記血糖ストリップ挿入口１７６に挿入し、前記血糖ストリップ１７８に血液を点着すると、前記複合センサー装置１７０で前述したように血糖測定が行われ、結果が前記スマートフォンディスプレイ４２０に現れる。過去に保存された血糖データをさらにチャート形態で見るには、前記「開く」ボタン４４４をタッチする。医師や病院に保存されたデータを送るには、前記伝送ボタン４４６をタッチする。
【００４３】
心電図と関連したボタン４３２、４３４、４３６は、心電図ボックス４３０内に構成され、血糖に関連したボタン４４２、４４４、４４６は、血糖ボックス４４０内に構成される。設定ボタン４５０は、ユーザの名前、生年月日、性別、住所などを記録したり、選択事項を設定しようとする時にタッチする。
【００４４】
図５は、心電図を測定する時の本発明による前記複合センサー装置１７０の動作フローチャートである。ユーザが心電図を測定するために前記複合センサー装置１７０の前記一対の電極１７２、１７４をそれぞれ両方の手でタッチする（５１０）。これにより、両方の手の間に人体を介して流れる微細電流を感知した前記電流感知器２５０が出力信号を発生させる（５１５）。この出力信号は、前記マイクロコントローラー２８０のインターラプトを発生させて、前記マイクロコントローラー２８０を活性化させる（５２０）。活性化した前記マイクロコントローラー２８０は、前記無線通信手段２９０を活性化させる。以下では、前記無線通信手段２９０がブルートゥース・ロー・エネルギー装置である場合について記述する。前記複合センサー装置１７０の前記無線通信手段２９０がブルートゥース・ロー・エネルギー周辺装置（ｐｅｒｉｐｈｅｒａｌ）として広告（ａｄｖｅｒｔｉｚｉｎｇ）する（５２５）。この際、ブルートゥース・ロー・エネルギー中央装置（ｃｅｎｔｒａｌ）としてスキャニング（ｓｃａｎｎｉｎｇ）していた前記スマートフォン４１０が前記複合センサー装置１７０を発見して連結を試みる。この際、前記複合センサー装置１７０が連結を承認すれば、前記スマートフォン４１０と前記複合センサー装置１７０は、ブルートゥース・ロー・エネルギー連結状態（ｃｏｎｎｅｃｔｅｄ）となる（５３０）。
【００４５】
この際、万一、前記スマートフォン４１０の前記心電図測定ボタン４３２がタッチされたら（５３５）、前記マイクロコントローラー２８０は、前記心電図測定回路２６０をパワーオンさせる。前記二番目の問題で記述したように、前記複合センサー装置１７０の前記一対の電極１７２、１７４は、ユーザが血糖を測定する過程中でも無意識のうちにあるいはミスをしてタッチされ得る。したがって、前記一対の電極１７２、１７４がタッチされた理由が、ユーザが実際に心電図測定を希望したものであるか、それとも、ミスをしてタッチしたものであるかを区分できる方法が必要である。したがって、本発明では、図５のＥＣＧ測定ボタン確認段階（５３５）を前記複合センサー装置１７０の前記一対の電極１７２、１７４がタッチされた理由を区分する方法で使用する。
【００４６】
心電図測定を要求された前記マイクロコントローラー２８０は、前記心電図測定回路２６０のみを選択してパワーオンさせる（５４０）。本発明において前記心電図測定回路２６０のパワーオンは、心電図測定の意図的なユーザ要求があったことを確認した後に行われる。また、図２および図３に示されたように、心電図測定回路２６０に連結された前記マイクロコントローラー２８０の出力ピンをハイ（Ｈｉｇｈ）として行われるようにする。前記過程は、前記六番目の問題を解決する。
【００４７】
次に、前記一対の電極１７２、１７４が両方の手にタッチされている状態であるかを前記電流感知器２５０を利用して確認する（５４５）。この段階は、前記マイクロコントローラー２８０が心電図測定をいつから開始するか、すなわちＡＤ変換をいつから開始するかを決定する。すなわち前記四番目の問題を解決する。この条件が満足されれば、前記マイクロコントローラー２８０は、心電図測定（ＡＤ変換）を開始する（５５０）。心電図を測定しようとするユーザがスマートフォンのアプリをオンとさせ、心電図測定ボタン４３２をタッチし、前記一対の電極１７２、１７４を両方の手でタッチした状態を継続的に維持していたら、前記電極タッチ確認段階（５４５）は自動に満足される。したがって、前記段階５４５がユーザの便宜性を制限したり、心電図の測定に制限を追加しない。しかし、万一、ユーザが前記一対の電極１７２、１７４を接触し（５１０）、前記スマートフォンの心電図測定ボタン４３２をタッチした後、まだ前記一対の電極１７２、１７４をタッチしなかったとすれば、複合センサー装置１７０は、ユーザが前記一対の電極１７２、１７４をさらにタッチするまで待機しなければならない。したがって、図５の段階５４５は、本発明の重要段階中の一つである。
【００４８】
前記段階５１０から段階５４５までの手続およびこれに該当する図７のアプリの手続によって前述した三番目の問題は解決される。すなわち、前記心電図電極１７２、１７４がタッチ（５１０）された理由を、スマートフォンで前記心電図測定ボタン４３２が選択されたかを確認（５３５）した後、さらに前記一対の電極１７２、１７４がタッチ状態であるかを確認して（５４５）、心電図測定のための最後の準備が終わったかを確認した後、心電図測定を開始する（５５０）。したがって、前記三番目の問題は解決された。また、このような過程と手続は、心電図測定（ＡＤ変換）の正確な時点を提供し、したがって、本発明は、前記四番目の問題を解決した。
【００４９】
一方、前記段階５１０から段階５４５までの手続がユーザに不便さを提供したり、測定時間を遅延したりしない。ユーザは、単にアプリを実行させた後、前記スマートフォンディスプレイ１２０で前記心電図測定ボタン４３２を一度タッチした後、心電図を測定するために前記心電図電極１７２と１７４をタッチ（５１０）すればよい。
【００５０】
前記過程後に前記マイクロコントローラー２８０は、心電図測定を開始する（５５０）。すなわち前記マイクロコントローラー２８０は、前記心電図測定回路２６０の出力と連結された前記ＡＤ変換器２７０の入力端子と前記血糖測定回路２３０の出力と連結された前記ＡＤ変換器２７０の入力端子のうち前者を選択するように、前記ＡＤ変換器２７０を設定する。これは、ＡＤ変換に関連した前記マイクロコントローラー２８０の設定レジスターをセットすることにより行われる。その後、前記マイクロコントローラー２８０は、あらかじめ設定されたＡＤ変換周期に合わせてＡＤ変換を行い、ＡＤ変換結果をもたらす。本発明は、この過程と、この過程を行うファームウェアと図２または図３の回路により心電図測定に該当する前記七番目の問題を解決する。
【００５１】
測定された心電図データは、前記スマートフォン４１０に送信され（５５５）、あらかじめ設定された測定時間、例えば３０秒が経過すれば、前記マイクロコントローラー２８０は、スリープモードになる（５６０）。
【００５２】
図６は、血糖値を測定する時、本発明による前記複合センサー装置１７０の動作フローチャートである。ユーザが血糖を測定するために前記血糖ストリップ挿入口１７６に一つの血糖ストリップ１７８を挿入すれば（６１０）、前記血糖電流感知器２２０は、微細電流を検出し、出力信号を発生させる（６１５）。この出力信号は、前記マイクロコントローラー２８０のインターラプトを発生させて、前記マイクロコントローラー２８０を活性化させる（６２０）。この際、前述した二番目の問題である無意識のうちにまたはミスによる前記一対の電極１７２、１７４のタッチによって既に前記マイクロコントローラー２８０が活性化して、心電図測定段階にありえる。しかし、この問題は、前記血糖電流感知器２２０の出力によるインターラプトの優先順位を前記心電図電流感知器２５０の出力によるインターラプトの優先順位より高くすることにより解決することができる。前記過程により、本発明は、前記二番目の問題を解決する。
【００５３】
前記活性化したマイクロコントローラー２８０は、血糖測定の要求を受けたので、前記血糖測定回路２３０のみを選択してパワーオンさせる（６２５）。すなわち本発明において血糖測定回路２３０のパワーオンは、血糖測定の要求を受けた後に行われる。また、これは、図２または図３に示されたように、前記血糖測定回路２３０に連結された前記マイクロコントローラー２８０の出力ピンを介して行われる。したがって、本発明は、血糖測定に該当する前記六番目の問題を解決する。
【００５４】
次に、前記マイクロコントローラー２８０は、血糖測定を開始する（６３０）。まず、前記マイクロコントローラー２８０は、前記心電図測定回路２６０の出力と連結された前記ＡＤ変換器２７０の入力端子と前記血糖測定回路２３０の出力と連結された前記ＡＤ変換器２７０の入力端子のうち後者を選択するように、前記ＡＤ変換器２７０を設定する。これは、ＡＤ変換に関連した前記マイクロコントローラー２８０の設定レジスターをセットすることにより行われる。その後、前記マイクロコントローラー２８０は、あらかじめ設定されたＡＤ変換周期に合わせてＡＤ変換を行い、ＡＤ変換結果をもたらす。本発明は、この過程と、この過程を行うファームウェアと図２または図３の回路により血糖測定に該当する前記七番目の問題を解決する。
【００５５】
血糖の測定が終了すれば、前記複合センサー装置１７０がブルートゥース・ロー・エネルギー周辺装置として広告する（６３５）。前記広告（６３５）を血糖測定が終了した後に行うことにより、前記複合センサー装置１７０に内蔵されたバッテリー２００の電力消耗を減少させることができる。この際、スマートフォン１１０は、ブルートゥース・ロー・エネルギー中央装置としてのスキャニングを行っている中であるから、前記複合センサー装置１７０を発見（ｄｉｓｃｏｖｅｒｙ）して連結（ｃｏｎｎｅｃｔｉｏｎ）を試みる。この際、前記複合センサー装置１７０が連結を承認すれば、前記スマートフォン４１０と前記複合センサー装置１７０は、連結状態となる（６４０）。前記複合センサー装置１７０が連結状態になれば、血糖を測定したデータを前記スマートフォン４１０に送信し（６４５）、前記マイクロコントローラー２８０は、スリープモードに入る（６５０）。
【００５６】
血糖を測定する時、前記血糖ストリップ挿入口１７６に前記血糖ストリップ１７８が挿入されれば、前記電流感知器２２０が出力を発生するものと記述したが、必ずこのようにしなければならないわけではない。前記電流感知器２２０は、前記血糖ストリップ１７８に血液が点着した時、微細電流を検出し、自動に出力を発生するようにすることもできる。
【００５７】
図２および図３のすべての回路は、前記複合センサー装置１７０に内蔵された前記バッテリー２００により駆動される。図２および図３には、いかなる機械的電源スイッチ、機械的選択スイッチ、ディスプレイがない。図２および図３で、前記複合センサー装置１７０が測定をしない時は、前記血糖電流感知器２２０、前記心電図電流感知器２５０、前記マイクロコントローラー２８０のみがそれぞれ略１ｕＡを消耗し、他のすべてのブロックは完全にパワーオフとされる。すなわち待機時に前記複合センサー装置１７０全体の消耗電力は、略３ｕＡ程度である。頻繁に使用されるＣＲ２０３２の容量は、略２００ｍＡｈである。したがって、ＣＲ２０３２を使用する前記携帯用複合センサー装置１７０の待機時間は、例えば約７．６年である。測定時に消耗する電力の多くの部分は、無線通信のために消耗し、測定時に消耗する電力は、略１０ｍＡである。無線通信を含む測定時間を基準として一日に心電図の測定を３０秒に一度、血糖の測定を５秒に一度行う場合に、待機時に消費される電力を含むとしても、一つのＣＲ２０３２を使用して、例えば約３年を使用することができる。
【００５８】
図７には、心電図を測定する時のアプリのフローチャートと血糖を測定する時のアプリのフローチャートを便宜上一緒に示した。しかし、実際には一度に一つの測定フローチャートが実行される。ユーザが本発明によるアプリを開始すると、図４に示されたように、スマートフォンディスプレイ１２０に各種タッチボタンが現れる（７１０）。
【００５９】
まず、心電図測定の場合について記述する。図７に示されたように、心電図を測定する時のフローは、中心ライン７２２、７２４、７２６、７２８、７３０、７３２とブルートゥース・ロー・エネルギー（ＢＬＥ）ライン７５２、７５４の二つのラインで構成される。アプリが開始すると、スマートフォンディスプレイ４２０に各種ボタンが現れた（７１０）後、ブルートゥース・ロー・エネルギー通信を行うための前記ＢＬＥライン７５２、７５４が開始する。心電図を測定しようとするユーザは、前記心電図測定ボタン４３２をタッチする（７２２）。論理的に考える時、前記ＢＬＥライン７５２、７５４は、前記心電図測定ボタン４３２のタッチ（７２２）により開始しなければなければならないと考えることもできる。本発明において前記ＢＬＥライン７５２、７５４を前記心電図測定ボタン４３２がタッチ（７２２）される前に開始させる理由は、血糖の測定時には、前記血糖測定ボタン４４２をタッチしなくても、血糖測定の意図を前記血糖測定ストリップ１７８の挿入により明確に把握することができるので、前記段階７７２と前記段階７７４が不要であり得るからである。すなわち一つの血糖測定ストリップ１７８が挿入されれば、自動的に血糖測定が完了して、前記スマートフォンディスプレイ４２０に血糖測定結果が現れるようにするためである。
【００６０】
ユーザが前記心電図測定ボタン４３２をタッチ（７２２）すると、心電図測定の要求信号が前記ＢＬＥライン７５２、７５４に送られる（７２４）。また、前記スマートフォンディスプレイ４２０には、前記一対の電極１７２、１７４に両手をタッチするようなメッセージが表示される（７２４）。前記ＢＬＥライン７５２、７５４では、前記複合センサー装置１７０に心電図測定の要求信号を送る。
【００６１】
心電図測定の要求信号を受けた前記複合センサー装置１７０では、図５で記述した心電図測定任務を行い、さらに前記ＢＬＥライン７５２、７５４に測定された心電図データを伝送する。前記ＢＬＥライン７５２、７５４は、前記複合センサー装置１７０から受信した前記心電図データを前記中心ライン７２２、７２４、７２６、７２８、７３０、７３２に伝達する。これにより、前記中心ライン７２２、７２４、７２６、７２８、７３０、７３２が前記心電図データを受信する（７２６）。受信した前記心電図データを前記中心ライン７２２、７２４、７２６、７２８、７３０、７３２で前記スマートフォンディスプレイ４２０にチャート形態でディスプレイする（７２８）。すべての心電図の測定が終われば、測定された心電図データをファイル形態でスマートフォン保存装置に保存する（７３０）。測定された心電図データが前記スマートフォンディスプレイ４２０にチャート形態でディスプレイされている状態で、スマートフォンのアプリは、ユーザがアプリ終了ボタンを押下して、アプリを終了することを待機する（７３２）。
【００６２】
図７に示されたように、血糖を測定する時、フローは、中心ライン７７２、７７４、７７６、７７８、７８０、７８２とＢＬＥライン７５２、７５４の二つのラインで構成される。アプリが開始すると、前記スマートフォンディスプレイ４２０に各種ボタンが現れた（７１０）後、ブルートゥース・ロー・エネルギー通信実行のための前記ＢＬＥライン７５２、７５４が開始する。
【００６３】
ユーザが前記血糖測定ボタン４４２をタッチ（７７２）すると、一つの血糖ストリップを挿入するようなメッセージが前記スマートフォンディスプレイ４２０に現れる（７７４）。しかし、血糖測定要求信号を前記ＢＬＥライン７５２、７５４に送らない。これは、心電図を測定する時、ユーザが心電図測定ボタンを押下すると（７２２）、心電図測定の要求信号を前記ＢＬＥライン７５２、７５４に送る（７２４）ものとは異なる。これは、血糖を測定するためには、ユーザが前記段階７７２と前記段階７７４を必ず行う必要はないからである。これは、ユーザが血糖測定を開始するには、単に前記血糖ストリップ挿入口１７６に前記血糖ストリップ１７８を挿入すればよいからである。
【００６４】
前記段階７７２と前記段階７７４を行う理由は、ユーザが血糖を測定するためには、アプリで一つの血糖測定ボタンを選択しなければなければならないと考え、そのようにすることを希望することもできるので設けただけである。すなわち血糖を測定しようとするユーザがアプリを実行させた時、一つの血糖測定ボタン４４２が現れなければ、ユーザは、何かが間違ったと考えて慌てることもあるからである。したがって、図７で、前記段階７７４は、ストリップを挿入するようなメッセージを前記スマートフォンディスプレイ４２０に示す動作のみを行う。このようにして前記五番目の問題を解消する。
【００６５】
前述した理由によって前記次の段階７７６、７７８、７８０、７８２は、ユーザが前記段階７７２と７７４を行わなくても行われる。前記血糖ストリップ挿入口１７６に前記血糖ストリップ１７８が挿入されれば（６１０）、前記複合センサー装置１７０では、図６で記述した血糖測定任務を行って、さらに前記ＢＬＥライン７５２、７５４に測定された血糖データを伝送する（６４５）。前記ＢＬＥライン７５２、７５４は、前記複合センサー装置１７０から受信した前記血糖データを中心ラインに伝達する。これにより、前記中心ラインが前記血糖データを受信する（７７６）。受信した前記血糖データを前記中心ラインで前記スマートフォンディスプレイ４２０にディスプレイする（７７８）。
【００６６】
前記段階７７２と前記段階７７４なしにユーザが前記血糖ストリップ挿入口１７６に前記血糖ストリップ１７８を挿入さえすれば血糖測定が行われる方式は、前記段階７７２と前記段階７７４を使用しなければならない方式に比べてユーザに相当な便利さと手続の簡便さと測定時間の節約を提供する。また、それにもかかわらず、前記段階７７２と前記段階７７４を使用することもできるようにする本発明は、ユーザがどのように使用してもよいという点から、また、ユーザが使用規則を熟知する必要がないという点から、ユーザに相当な便利さを提供する。すなわち本発明は、多様なユーザによる多様な使用法を受け入れることができる。
【００６７】
血糖値をディスプレイ（７７８）した後に測定された血糖値をファイル形態でスマートフォン保存装置に保存する（７８０）。測定された血糖値が前記スマートフォンディスプレイ４２０にディスプレイされる状態で、スマートフォンのアプリは、ユーザがアプリ終了ボタンを押下して、血糖測定を終了することを待機する（７８２）。
【００６８】
以上のように、一つの携帯用複合センサー装置とスマートフォンのアプリを使用して心電図と血糖の二つの生体情報を測定しようとする場合について本発明を具体的に説明したが、これに限定されず、様々な測定項目とそれに該当する多様な装置に適用することができる。本発明によれば、ユーザが何らの機械的スイッチや選択スイッチ、ディスプレイを具備しない複合センサー装置と使用法が簡素化したスマートフォンのアプリを使用して、できるだけすべての作動順序の場合の数に対して異常なく所望の結果の提供を受けることができる。
【産業上の利用可能性】
【００６９】
本発明による携帯用複合センサー装置は、無線でスマートフォンと通信し、携帯に便利であり、時間と場所に拘束されることなく、血糖や心電図など複数の医学的情報を得ることができる携帯型健康測定装置に利用することができる。
【図１】
2019503831.tif 000003
【図２】
2019503831.tif 000004
【図３】
2019503831.tif 000005
【図４】
2019503831.tif 000006
【図５】
2019503831.tif 000007
【図６】
2019503831.tif 000008
【図７】
2019503831.tif 000009
【国際調査報告】
2019503831.tif 000010
2019503831.tif 000011
2019503831.tif 000012
2019503831.tif 000013